(57)【要約】  本発明は、ＳＲＳの電力ヘッドルーム報告方法、端末機器及びコンピュータ記憶媒体を開示し、ここで、当該方法は、ターゲットＳＲＳリソースセットに含まれる少なくとも１つのＳＲＳリソース上の予想のＳＲＳの送信電力を計算することであって、前記ターゲットＳＲＳリソースセットは、ターゲットキャリアまたはターゲット帯域幅部分（ＢＷＰ）上のＳＲＳリソースセットであることと、前記少なくとも１つのＳＲＳリソース上の予想のＳＲＳの送信電力に従って、前記ターゲットＳＲＳリソースセットの電力ヘッドルーム（ＰＨ）を計算して取得することと、計算して取得された前記ターゲットＳＲＳリソースセットのＰＨを報告することとを含む。
2021519008.tif 000002
【特許請求の範囲】
【請求項１】
端末機器に適用される、サウンディング参照信号（ＳＲＳ）の電力ヘッドルーム（ＰＨ）報告方法であって、
ターゲットＳＲＳリソースセットに含まれる少なくとも１つのＳＲＳリソース上の予想のＳＲＳの送信電力を計算することであって、前記ターゲットＳＲＳリソースセットは、ターゲットキャリアまたはターゲット帯域幅部分（ＢＷＰ）上のＳＲＳリソースセットであることと、
前記少なくとも１つのＳＲＳリソース上の予想のＳＲＳの送信電力に従って、前記ターゲットＳＲＳリソースセットのＰＨを計算して取得することと、
計算して取得された前記ターゲットＳＲＳリソースセットのＰＨを報告することとを含む、前記ＳＲＳの電力ヘッドルーム報告方法。
【請求項２】
ターゲットＳＲＳリソースセットに含まれる少なくとも１つのＳＲＳリソース上の予想のＳＲＳの送信電力を計算することは、
ＰＨを計算する時刻に、前記端末機器がＳＲＳリソース上でＳＲＳを送信する場合、送信されるＳＲＳの伝送パラメータおよび前記ＳＲＳリソースまたは前記ターゲットＳＲＳリソースセットに対して構成された電力制御パラメータに基づいて、前記ＳＲＳリソース上の予想のＳＲＳの送信電力を計算することを含む、
請求項１に記載のＳＲＳの電力ヘッドルーム報告方法。
【請求項３】
ターゲットＳＲＳリソースセットに含まれる少なくとも１つのＳＲＳリソース上の予想のＳＲＳの送信電力を計算することは、
ＰＨを計算する時刻に、前記端末機器がＳＲＳリソース上でＳＲＳを送信しない場合、前記ＳＲＳリソースまたは前記ターゲットＳＲＳリソースセットに対して構成された電力制御パラメータに基づいて、前記ＳＲＳリソース上の予想のＳＲＳの送信電力を計算することを含む、
請求項１に記載のＳＲＳの電力ヘッドルーム報告方法。
【請求項４】
前記少なくとも１つのＳＲＳリソースは、
前記ターゲットＳＲＳリソースセット内で同じ直交周波数分割多重（ＯＦＤＭ）符号を占有するＳＲＳリソース、
前記ターゲットＳＲＳリソースセット内で異なるＯＦＤＭ符号を占有するＳＲＳリソース、
前記ターゲットＳＲＳリソースセット内で占有する帯域幅サイズが異なるＳＲＳリソース、
前記ターゲットＳＲＳリソースセット内で異なるアンテナアレイグループを使用してＳＲＳを送信するＳＲＳリソース、
前記ターゲットＳＲＳリソースセット内で同じアンテナアレイグループを使用してＳＲＳを送信するＳＲＳリソースのうちの１つである、
請求項１に記載のＳＲＳの電力ヘッドルーム報告方法。
【請求項５】
前記方法は、
前記ターゲットＳＲＳリソースセットがアップリンク非コードブック伝送に使用される場合、前記少なくとも１つのＳＲＳリソースは、前記ターゲットＳＲＳリソースセットのうちの全てのＳＲＳリソースであることをさらに含む、
請求項１に記載のＳＲＳの電力ヘッドルーム報告方法。
【請求項６】
前記方法は、
前記ターゲットＳＲＳリソースセットがアップリンクコードブック伝送またはビーム管理またはアンテナスイッチングに使用される場合、前記少なくとも１つのＳＲＳリソースは、前記ターゲットＳＲＳリソースセットのうちの任意の１つのＳＲＳリソースであることをさらに含む、
請求項１に記載のＳＲＳの電力ヘッドルーム報告方法。
【請求項７】
前記方法は、
ＰＨを計算する時刻に、前記端末機器がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在の物理アップリンク共有チャネル（ＰＵＳＣＨ）伝送に関連するＳＲＳリソースセットであることをさらに含む、
請求項１に記載のＳＲＳの電力ヘッドルーム報告方法。
【請求項８】
前記方法は、
ＰＨを計算する時刻に、前記端末機器がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットであることをさらに含む、
請求項１に記載のＳＲＳの電力ヘッドルーム報告方法。
【請求項９】
前記少なくとも１つのＳＲＳリソース上の予想のＳＲＳの送信電力に従って、前記ターゲットＳＲＳリソースセットの電力ヘッドルーム（ＰＨ）を計算して取得することは、
最大送信電力と、前記少なくとも１つのＳＲＳリソース上の予想のＳＲＳの送信電力の和との差を前記ターゲットＳＲＳリソースセットのＰＨとして使用することを含む、
請求項１に記載のＳＲＳの電力ヘッドルーム報告方法。
【請求項１０】
前記少なくとも１つのＳＲＳリソースは、同じＯＦＤＭ符号を占有し、または、前記少なくとも１つのＳＲＳリソースは同じアンテナアレイグループを使用してＳＲＳを送信する、
請求項９に記載のＳＲＳの電力ヘッドルーム報告方法。
【請求項１１】
前記少なくとも１つのＳＲＳリソース上の予想のＳＲＳの送信電力に従って、前記ターゲットＳＲＳリソースセットの電力ヘッドルーム（ＰＨ）を計算して取得することは、
最大送信電力と、前記少なくとも１つのＳＲＳリソース上の予想のＳＲＳの送信電力のうちの最大または最小の予想の送信電力との差を、前記ターゲットＳＲＳリソースセットのＰＨとして使用することを含む、
請求項１に記載のＳＲＳの電力ヘッドルーム報告方法。
【請求項１２】
前記最大送信電力は、
前記端末機器がサポートする最大送信電力、
前記端末機器が、前記ターゲットＳＲＳリソースセットが位置するキャリアでサポートする最大送信電力、
前記端末機器が、前記ターゲットＳＲＳリソースセット上でＳＲＳを送信するために使用されるアンテナアレイグループでサポートする最大送信電力のうちの１つである、
請求項９または１１に記載のＳＲＳの電力ヘッドルーム報告方法。
【請求項１３】
前記少なくとも１つのＳＲＳリソースは、異なるＯＦＤＭ符号を占有し、または、占有した帯域幅サイズが異なる、
請求項１１に記載のＳＲＳの電力ヘッドルーム報告方法。
【請求項１４】
異なる前記ターゲットＳＲＳリソースセットは異なるアンテナアレイグループに対応し、
対応的に、前記計算して取得された前記ターゲットＳＲＳリソースセットのＰＨを報告することは、
各アンテナアレイグループの最大送信電力に従って、各ターゲットＳＲＳリソースセットに対してＰＨ報告をそれぞれ実行することを含む、
請求項９または１１に記載のＳＲＳの電力ヘッドルーム報告方法。
【請求項１５】
前記少なくとも１つのＳＲＳリソース上の予想のＳＲＳの送信電力に従って、前記ターゲットＳＲＳリソースセットの電力ヘッドルーム（ＰＨ）を計算して取得することは、
前記少なくとも１つのＳＲＳリソースのうちの第１ＳＲＳリソース上の最大送信電力と、前記第１ＳＲＳリソース上の予想のＳＲＳの送信電力との差を、前記第１ＳＲＳリソースのＰＨとして使用することを含み、
前記第１ＳＲＳリソースのＰＨを前記ターゲットＳＲＳリソースセットのＰＨに含める、
請求項１に記載のＳＲＳの電力ヘッドルーム報告方法。
【請求項１６】
前記第１ＳＲＳリソース上の最大送信電力は、前記第１ＳＲＳリソースでＳＲＳを送信するために使用されるアンテナアレイグループでサポートする最大送信電力である、
請求項１５に記載のＳＲＳの電力ヘッドルーム報告方法。
【請求項１７】
前記方法は、
前記ターゲットＳＲＳリソースセットにおける各ＳＲＳリソースを前記第１ＳＲＳリソースとしてそれぞれ使用することをさらに含む、
請求項１５に記載のＳＲＳの電力ヘッドルーム報告方法。
【請求項１８】
前記計算して取得された前記ターゲットＳＲＳリソースセットのＰＨを報告することは、
前記ターゲットＳＲＳリソースセットのＰＨをターゲットキャリアまたはターゲットＢＷＰ上のＳＲＳのＰＨとして報告し、前記ターゲットキャリアまたはターゲットＢＷＰ上の他のＳＲＳリソースに対応するＰＨを報告しないことを含む、
請求項１に記載のＳＲＳの電力ヘッドルーム報告方法。
【請求項１９】
前記計算して取得された前記ターゲットＳＲＳリソースセットのＰＨを報告することは、
ターゲットキャリアまたはターゲットＢＷＰ上で構成された各ＳＲＳリソースセットにそれぞれ対応するＰＨを報告することを含む、
請求項１に記載のＳＲＳの電力ヘッドルーム報告方法。
【請求項２０】
端末機器であって、
ターゲットＳＲＳリソースセットに含まれる少なくとも１つのＳＲＳリソース上の予想のＳＲＳの送信電力を計算し、前記ターゲットＳＲＳリソースセットは、ターゲットキャリアまたはターゲット帯域幅部分（ＢＷＰ）上のＳＲＳリソースセットであり、前記少なくとも１つのＳＲＳリソース上の予想のＳＲＳの送信電力に従って、前記ターゲットＳＲＳリソースセットの電力ヘッドルーム（ＰＨ）を計算して取得するように構成される処理ユニットと、
計算して取得された前記ターゲットＳＲＳリソースセットのＰＨを報告するように構成される通信ユニットとを備える、前記端末機器。
【請求項２１】
前記処理ユニットは、ＰＨを計算する時刻に、前記端末機器がＳＲＳリソース上でＳＲＳを送信する場合、送信されるＳＲＳの伝送パラメータおよび前記ＳＲＳリソースまたは前記ターゲットＳＲＳリソースセットに対して構成された電力制御パラメータに基づいて、前記ＳＲＳリソース上の予想のＳＲＳの送信電力を計算するように構成される、
請求項２０に記載の端末機器。
【請求項２２】
前記処理ユニットは、ＰＨを計算する時刻に、前記端末機器がＳＲＳリソース上でＳＲＳを送信しない場合、前記ＳＲＳリソースまたは前記ターゲットＳＲＳリソースセットに対して構成された電力制御パラメータに基づいて前記ＳＲＳリソース上の予想のＳＲＳの送信電力を計算するように構成される、
請求項２０に記載の端末機器。
【請求項２３】
前記少なくとも１つのＳＲＳリソースは、
前記ターゲットＳＲＳリソースセット内で同じ直交周波数分割多重（ＯＦＤＭ）符号を占有するＳＲＳリソース、
前記ターゲットＳＲＳリソースセット内で異なるＯＦＤＭ符号を占有するＳＲＳリソース、
前記ターゲットＳＲＳリソースセット内で占有する帯域幅サイズが異なるＳＲＳリソース、
前記ターゲットＳＲＳリソースセット内で異なるアンテナアレイグループを使用してＳＲＳを送信するＳＲＳリソース、
前記ターゲットＳＲＳリソースセット内で同じアンテナアレイグループを使用してＳＲＳを送信するＳＲＳリソースのうちの１つである、
請求項２０に記載の端末機器。
【請求項２４】
前記処理ユニットは、前記ターゲットＳＲＳリソースセットがアップリンク非コードブック伝送に使用される場合、前記少なくとも１つのＳＲＳリソースは、前記ターゲットＳＲＳリソースセットのうちの全てのＳＲＳリソースであるように構成される、
請求項２０に記載の端末機器。
【請求項２５】
前記処理ユニットは、前記ターゲットＳＲＳリソースセットがアップリンクコードブック伝送またはビーム管理またはアンテナスイッチングに使用される場合、前記少なくとも１つのＳＲＳリソースは、前記ターゲットＳＲＳリソースセットのうちの任意の１つのＳＲＳリソースであるように構成される、
請求項２０に記載の端末機器。
【請求項２６】
前記処理ユニットは、ＰＨを計算する時刻に、前記端末機器がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在のＰＵＳＣＨ伝送に関連するＳＲＳリソースセットであるように構成される、
請求項２０に記載の端末機器。
【請求項２７】
前記処理ユニットは、ＰＨを計算する時刻に、前記端末機器がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットであるように構成される、
請求項２０に記載の端末機器。
【請求項２８】
前記処理ユニットは、最大送信電力と、前記少なくとも１つのＳＲＳリソース上の予想のＳＲＳの送信電力の和との差を前記ターゲットＳＲＳリソースセットのＰＨとして使用するように構成される、
請求項２０に記載の端末機器。
【請求項２９】
前記少なくとも１つのＳＲＳリソースは、同じＯＦＤＭ符号を占有し、または、前記少なくとも１つのＳＲＳリソースは同じアンテナアレイグループを使用してＳＲＳを送信する、
請求項２８に記載の端末機器。
【請求項３０】
前記処理ユニットは、最大送信電力と、前記少なくとも１つのＳＲＳリソース上の予想のＳＲＳの送信電力のうちの最大または最小の予想の送信電力との差を、前記ターゲットＳＲＳリソースセットのＰＨとして使用するように構成される、
請求項２０に記載の端末機器。
【請求項３１】
前記最大送信電力は、
前記端末機器がサポートする最大送信電力、
前記端末機器が、前記ターゲットＳＲＳリソースセットが位置するキャリアでサポートする最大送信電力、
前記端末機器が、前記ターゲットＳＲＳリソースセット上でＳＲＳを送信するために使用されるアンテナアレイグループでサポートする最大送信電力のうちの１つである、
請求項２８または３０に記載の端末機器。
【請求項３２】
前記少なくとも１つのＳＲＳリソースは、異なるＯＦＤＭ符号を占有し、または、占有した帯域幅サイズが異なる、
請求項３０に記載の端末機器。
【請求項３３】
異なる前記ターゲットＳＲＳリソースセットは異なるアンテナアレイグループに対応し、
対応的に、前記通信ユニットは、各アンテナアレイグループの最大送信電力に従って、各ターゲットＳＲＳリソースセットに対してＰＨ報告をそれぞれ実行するように構成される、
請求項２８または３０に記載の端末機器。
【請求項３４】
前記処理ユニットは、前記少なくとも１つのＳＲＳリソースのうちの第１ＳＲＳリソース上の最大送信電力と、前記第１ＳＲＳリソース上の予想のＳＲＳの送信電力との差を、前記第１ＳＲＳリソースのＰＨとして使用するように構成され、前記第１ＳＲＳリソースのＰＨを前記ターゲットＳＲＳリソースセットのＰＨに含める、
請求項２０に記載の端末機器。
【請求項３５】
前記第１ＳＲＳリソース上の最大送信電力は、前記第１ＳＲＳリソースでＳＲＳを送信するために使用されるアンテナアレイグループでサポートする最大送信電力である、
請求項３４に記載の端末機器。
【請求項３６】
前記処理ユニットは、前記ターゲットＳＲＳリソースセットにおける各ＳＲＳリソースを前記第１ＳＲＳリソースとしてそれぞれ使用するように構成される、
請求項３４に記載の端末機器。
【請求項３７】
前記通信ユニットは、前記ターゲットＳＲＳリソースセットのＰＨをターゲットキャリアまたはターゲットＢＷＰ上のＳＲＳのＰＨとして報告し、前記ターゲットキャリアまたはターゲットＢＷＰ上の他のＳＲＳリソースに対応するＰＨを報告しないように構成される、
請求項２０に記載の端末機器。
【請求項３８】
前記通信ユニットは、ターゲットキャリアまたはターゲットＢＷＰ上で構成された各ＳＲＳリソースセットにそれぞれ対応するＰＨを報告するように構成される、
請求項２０に記載の端末機器。
【請求項３９】
端末機器であって、
プロセッサと、プロセッサで実行可能なコンピュータプログラムを記憶するように構成されるメモリとを備え、
前記プロセッサは、前記コンピュータプログラムを実行する時に、請求項１ないし１９のいずれか一項に記載の方法のステップを実行するように構成される、前記端末機器。
【請求項４０】
コンピュータ記憶媒体であって、
コンピュータ実行可能な命令が記憶され、前記コンピュータ実行可能な命令が実行されると、請求項１ないし１９のいずれか一項に記載の方法のステップを実現する、前記コンピュータ記憶媒体。
【発明の詳細な説明】
【技術分野】
【０００１】
本発明は、情報処理の技術分野に関し、特に、ＳＲＳの電力ヘッドルーム報告方法、端末機器及びコンピュータ記憶媒体に関する。
【背景技術】
【０００２】
サウンディング参照信号（ＳＲＳ：Ｓｏｕｎｄｉｎｇ  Ｒｅｆｅｒｅｎｃｅ  Ｓｉｇｎａｌ）の電力ヘッドルームは、ＵＥが許可する最大伝送電力と、現在計算して取得されたＳＲＳの伝送電力の差である。ニューラジオ（ＮＲ：Ｎｅｗ  Ｒａｄｉｏ）において、端末は、ＰＵＳＣＨおよびＳＲＳに対して電力ヘッドルーム報告（ＰＨＲ：Ｐｏｗｅｒ  Ｈｅａｄｒｏｏｍ  Ｒｅｐｏｒｔ）をそれぞれ実行する必要がある。端末は、現在ＰＵＳＣＨまたはＳＲＳを伝送するキャリアに対して電力ヘッドルーム（ＰＨ：Ｐｏｗｅｒ  Ｈｅａｄｒｏｏｍ）報告を実行する同時に、ＰＵＳＣＨまたはＳＲＳを伝送しないキャリアに対してもＰＨ報告を実行する必要があり、それにより、当該キャリアにおけるネットワーク側のスケジューリングまたは電力制御のためのリファレンスを提供する。
【０００３】
2021519008.tif 000003
2021519008.tif 000004
【発明の概要】
【発明が解決しようとする課題】
【０００４】
上記した技術的課題を解決するために、本発明の実施例は、ＳＲＳの電力ヘッドルーム報告方法、端末機器及びコンピュータ記憶媒体を提供する。
【課題を解決するための手段】
【０００５】
本発明の実施例は、端末機器に適用されるＳＲＳの電力ヘッドルーム報告方法を提供し、前記方法は、
ターゲットＳＲＳリソースセットに含まれる少なくとも１つのＳＲＳリソース上の予想のＳＲＳの送信電力を計算することであって、前記ターゲットＳＲＳリソースセットは、ターゲットキャリアまたはターゲット帯域幅部分（ＢＷＰ）上のＳＲＳリソースセットであることと、
前記少なくとも１つのＳＲＳリソース上の予想のＳＲＳの送信電力に従って、前記ターゲットＳＲＳリソースセットの電力ヘッドルーム（ＰＨ）を計算して取得することと、
計算して取得された前記ターゲットＳＲＳリソースセットのＰＨを報告することとを含む。
【０００６】
本発明の実施例は、端末機器を提供し、前記機器は、
ターゲットＳＲＳリソースセットに含まれる少なくとも１つのＳＲＳリソース上の予想のＳＲＳの送信電力を計算し、前記ターゲットＳＲＳリソースセットは、ターゲットキャリアまたはターゲット帯域幅部分（ＢＷＰ）上のＳＲＳリソースセットであり、前記少なくとも１つのＳＲＳリソース上の予想のＳＲＳの送信電力に従って、前記ターゲットＳＲＳリソースセットの電力ヘッドルーム（ＰＨ）を計算して取得するように構成される処理ユニットと、
計算して取得された前記ターゲットＳＲＳリソースセットのＰＨを報告するように構成される通信ユニットとを備える。
【０００７】
本発明の実施例で提供される端末機器は、プロセッサと、プロセッサで実行可能なコンピュータプログラムを記憶するように構成されるメモリとを備え、
ここで、前記プロセッサは、前記コンピュータプログラムを実行する時に、上記した方法のステップを実行するように構成される。
【０００８】
本発明の実施例は、コンピュータ記憶媒体を提供し、前記コンピュータ記憶媒体には、コンピュータ実行可能な命令が記憶され、前記コンピュータ実行可能な命令が実行されると、上記した方法のステップを実現する。
【０００９】
本発明の実施例の技術的解決策によれば、ターゲットキャリアまたはターゲット帯域幅部分上のターゲットＳＲＳリソースセットにおけるＳＲＳリソースを計算してターゲットＳＲＳリソースセットのＰＨを取得し、ＰＨをネットワーク側に報告することができ、したがって、ネットワーク側が正確なＳＲＳ電力ヘッドルーム情報を取得するようにし、それにより、後続のＳＲＳスケジューリングおよび電力制御を実行することができる。
【図面の簡単な説明】
【００１０】
【図１】本発明の実施例で提供するＳＲＳの電力ヘッドルーム報告方法の例示的なフローチャートである。
【図２】本発明の実施例の端末機器の構成の例示的な構造図である。
【図３】本発明の実施例のハードウェアアーキテクチャの概略図である。
【発明を実施するための形態】
【００１１】
本発明の実施例の特徴および技術的内容をより詳細に理解するために、以下、図面を参照して本発明の実施例の具現を詳細に説明し、添付の図面は、例示のみを目的として、本発明の実施例を限定することを意図するものではない。
【００１２】
実施例１
本発明の実施例は、端末機器に適用される、ＳＲＳの電力ヘッドルーム報告方法を提供し、図１に示されたように、前記方法は、次のステップを含む。
【００１３】
ステップ１０１において、ターゲットＳＲＳリソースセットに含まれる少なくとも１つのＳＲＳリソース上の予想のＳＲＳの送信電力を計算し、ここで、前記ターゲットＳＲＳリソースセットは、ターゲットキャリアまたはターゲット帯域幅部分（ＢＷＰ）上のＳＲＳリソースセットである。
【００１４】
ステップ１０２において、前記少なくとも１つのＳＲＳリソース上の予想のＳＲＳの送信電力に従って、前記ターゲットＳＲＳリソースセットの電力ヘッドルーム（ＰＨ）を計算して取得する。
【００１５】
ステップ１０３において、計算して取得された前記ターゲットＳＲＳリソースセットのＰＨを報告する。
【００１６】
具体的に、上記したステップ１０１では、ターゲットＳＲＳリソースセットに含まれる少なくとも１つのＳＲＳリソース上の予想のＳＲＳの送信電力を計算することは、
ＰＨを計算する時刻に、前記端末機器がＳＲＳリソース上でＳＲＳを送信する場合、送信されるＳＲＳの伝送パラメータおよび前記ＳＲＳリソースまたは前記ターゲットＳＲＳリソースセットに対して構成された電力制御パラメータに基づいて、前記ＳＲＳリソース上の予想のＳＲＳの送信電力を計算することを含む。
【００１７】
即ち、ＰＨを計算する時刻に、端末が１つのＳＲＳリソース上でＳＲＳを送信する場合、端末は、送信されるＳＲＳの伝送パラメータ及び前記ＳＲＳリソースまたは前記ＳＲＳリソースが位置するターゲットＳＲＳリソースセットに構成された電力制御パラメータに基づいて、当該ＳＲＳリソース上の予想のＳＲＳの送信電力を計算し、ここで、電力制御パラメータは、開ループ電力制御パラメータ及び閉ループ電力制御パラメータを含み得る。
【００１８】
2021519008.tif 000005
具体的に、上記したステップ１０１では、ターゲットＳＲＳリソースセットに含まれる少なくとも１つのＳＲＳリソース上の予想のＳＲＳの送信電力を計算することは、
ＰＨを計算する時刻に、前記端末機器がＳＲＳリソース上でＳＲＳを送信しない場合、前記ＳＲＳリソースまたは前記ターゲットＳＲＳリソースセットに対して構成された電力制御パラメータに基づいて、前記ＳＲＳリソース上の予想のＳＲＳの送信電力を計算することをさらに含む。
【００１９】
即ち、ＰＨを計算する時刻に、端末が特定のＳＲＳリソース上でＳＲＳを送信しない場合、端末は、前記ＳＲＳリソースまたは前記ＳＲＳリソースが位置するターゲットＳＲＳリソースセットに構成された電力制御パラメータに基づいて、当該ＳＲＳリソース上の予想のＳＲＳの送信電力を計算し、ここで、電力制御パラメータは、通常、開ループ電力制御パラメータのみを含む。
【００２０】
2021519008.tif 000006
前記少なくとも１つのＳＲＳリソースは、
前記ターゲットＳＲＳリソースセット内で同じＯＦＤＭ符号を占有するＳＲＳリソース、
前記ターゲットＳＲＳリソースセット内で異なるＯＦＤＭ符号を占有するＳＲＳリソース、
前記ターゲットＳＲＳリソースセット内で占有する帯域幅サイズが異なるＳＲＳリソース、
前記ターゲットＳＲＳリソースセット内で異なるアンテナアレイグループを使用してＳＲＳを送信するＳＲＳリソース、
前記ターゲットＳＲＳリソースセット内で同じアンテナアレイグループを使用してＳＲＳを送信するＳＲＳリソースのうちの１つである。
【００２１】
当該方法は、前記ターゲットＳＲＳリソースセットがアップリンク非コードブック伝送に使用される場合、前記少なくとも１つのＳＲＳリソースは、前記ターゲットＳＲＳリソースセットのうちの全てのＳＲＳリソースであることをさらに含む。
【００２２】
当該方法は、前記ターゲットＳＲＳリソースセットがアップリンクコードブック伝送またはビーム管理またはアンテナスイッチングに使用される場合、前記少なくとも１つのＳＲＳリソースは、前記ターゲットＳＲＳリソースセットのうちの任意の１つのＳＲＳリソースであることを含む。
【００２３】
ここで、ターゲットＳＲＳリソースセットが、アップリンク非コードブック伝送に使用されるか、アップリンクコードブック伝送に使用されるか、ビーム管理に使用されるか、アンテナスイッチングに使用されるかは、上位層シグナリングを介して各ＳＲＳリソースセットにそれぞれ構成することができる。
【００２４】
前記方法は、
ＰＨを計算する時刻に、前記端末機器がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在のＰＵＳＣＨ伝送に関連するＳＲＳリソースセットであることをさらに含む。
【００２５】
ＰＨを計算する時刻に、前記端末機器がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットである。
【００２６】
即ち、ＰＨを計算する時刻に、端末がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在のＰＵＳＣＨ伝送に関連するＳＲＳリソースセットである。
【００２７】
具体的に、現在のＰＵＳＣＨ伝送がコードブックに基づくＰＵＳＣＨ伝送である場合、前記ターゲットＳＲＳリソースセットはコードブック伝送のためのＳＲＳリソースセットであり、現在のＰＵＳＣＨ伝送が非コードブックに基づくＰＵＳＣＨ伝送である場合、前記ターゲットＳＲＳリソースセットは、非コードブック伝送のためのＳＲＳリソースセットであり、現在のＰＵＳＣＨ伝送がアンテナスイッチングに基づくＰＵＳＣＨ伝送である場合、前記ターゲットＳＲＳリソースセットは、アンテナスイッチングのためのＳＲＳリソースセットである。
【００２８】
ＰＨを計算する時刻に、端末がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットである。
【００２９】
ここで、最も低いセットインデックスを有するＳＲＳリソースセットは、前記ターゲットキャリアまたはターゲットＢＷＰ上のＳＲＳリソースセットＩＤが０と等しいＳＲＳリソースセットであり得る。現在のＳＲＳリソースセットにおいて最も小さいＩＤが０ではなく、３である場合、ＩＤが３であるＳＲＳリソースセットを選択することができる。
【００３０】
上記したステップ１０２では、前記少なくとも１つのＳＲＳリソース上の予想のＳＲＳの送信電力に従って、前記ターゲットＳＲＳリソースセットの電力ヘッドルーム（ＰＨ）を計算して取得することは、次の様々なシナリオが存在し得る。
【００３１】
シナリオ１
最大送信電力と、前記少なくとも１つのＳＲＳリソース上の予想のＳＲＳの送信電力の和との差を前記ターゲットＳＲＳリソースセットのＰＨとして使用する。
【００３２】
即ち、端末は、最大送信電力と第１電力との差を、前記ターゲットＳＲＳリソースセットのＰＨとして使用し、ここで、第１電力は、前記少なくとも１つのＳＲＳリソース上の予想のＳＲＳの送信電力の和である。
【００３３】
前記最大送信電力は、端末がサポートする最大送信電力、または端末が前記ターゲットＳＲＳリソースセットが位置するキャリア上でサポートする最大送信電力、または端末が前記ターゲットＳＲＳリソースセット上でＳＲＳを送信するために使用されるアンテナアレイグループでサポートする最大送信電力である。
【００３４】
2021519008.tif 000007
即ち、この方法は、前記少なくとも１つのＳＲＳリソースが同じＯＦＤＭ符号を占有する場合、または前記少なくとも１つのＳＲＳリソースが同じアンテナアレイグループを使用してＳＲＳを送信する場合に使用されることができる。前者の場合、この方法を採用すると、端末が複数のＳＲＳリソースを同時に伝送する時の電力ヘッドルームを正確に計算することができ、後者の場合、この方法を採用すると１つのアンテナアレイグループ上の総電力ヘッドルームを正確に計算することができる。
【００３５】
異なるターゲットＳＲＳリソースセットが異なるアンテナアレイグループ（ｐａｎｅｌ）に対応する場合、この方法は、各アンテナアレイグループのそれぞれの最大送信電力に従って、各ターゲットＳＲＳリソースセットに対してＰＨ報告をそれぞれ実行することをサポートすることができる。
【００３６】
シナリオ２
最大送信電力と、前記少なくとも１つのＳＲＳリソース上の予想のＳＲＳの送信電力のうちの最大または最小の予想の送信電力との差を、前記ターゲットＳＲＳリソースセットのＰＨとして使用する。
【００３７】
即ち、このシナリオでは、端末は、最大送信電力と第２電力間の差を、前記ターゲットＳＲＳリソースセットのＰＨとして使用し、ここで、第２電力は、前記少なくとも１つのＳＲＳリソース上の予想のＳＲＳの送信電力のうち、最も大きいまたは最も小さい予想のＳＲＳの送信電力である。
【００３８】
前記最大送信電力は、
前記端末機器がサポートする最大送信電力、
前記端末機器が、前記ターゲットＳＲＳリソースセットが位置するキャリアでサポートする最大送信電力、
前記端末機器が、前記ターゲットＳＲＳリソースセット上でＳＲＳを送信するために使用されるアンテナアレイグループでサポートする最大送信電力のうちの１つである。
【００３９】
2021519008.tif 000008
１つのターゲットＳＲＳリソースセット内の全てのＳＲＳリソース上の予想のＳＲＳの送信電力が同じである場合、任意のＳＲＳリソースを使用してＰＨを計算することができる。
【００４０】
前記少なくとも１つのＳＲＳリソースは、異なるＯＦＤＭ符号を占有し、または、占有した帯域幅サイズが異なる。即ち、当該方法は、前記少なくとも１つのＳＲＳリソースが異なるＯＦＤＭ符号を占有する場合、または前記少なくとも１つのＳＲＳリソースが占有した帯域幅サイズが異なる場合に使用されることができる。この場合、端末は、そのうちの１つのＳＲＳリソースのＰＨのみを報告し、端末は、これに従って他のＳＲＳリソースのＰＨを取得することができる。
【００４１】
異なる前記ターゲットＳＲＳリソースセットは異なるアンテナアレイグループに対応し、
対応的に、前記計算して取得された前記ターゲットＳＲＳリソースセットのＰＨを報告することは、
各アンテナアレイグループの最大送信電力に従って、各ターゲットＳＲＳリソースセットに対してＰＨ報告をそれぞれ実行することを含む。
【００４２】
即ち、異なるターゲットＳＲＳリソースセットが異なるｐａｎｅｌに対応する場合、このシナリオで提供される技術案は、各アンテナアレイグループのそれぞれの最大送信電力に従って、各ターゲットＳＲＳリソースセットに対してＰＨ報告をそれぞれ実行することをサポートすることもできる。
【００４３】
シナリオ３
前記少なくとも１つのＳＲＳリソースのうちの第１ＳＲＳリソース上の最大送信電力と、前記第１ＳＲＳリソース上の予想のＳＲＳの送信電力との差を、前記第１ＳＲＳリソースのＰＨとして使用し、
前記第１ＳＲＳリソースのＰＨを前記ターゲットＳＲＳリソースセットのＰＨに含める。
【００４４】
このシナリオは、端末が前記少なくとも１つのＳＲＳリソースのうちの第１ＳＲＳリソース上の最大送信電力と、当該第１ＳＲＳリソース上の予想のＳＲＳの送信電力間の差を、前記第１ＳＲＳリソースのＰＨとして使用し、前記ターゲットＳＲＳリソースセットのＰＨは前記第１ＳＲＳリソースのＰＨを含むことである。
【００４５】
前記第１ＳＲＳリソース上の最大送信電力は、前記第１ＳＲＳリソースでＳＲＳを送信するために使用されるアンテナアレイグループでサポートする最大送信電力であり得る。即ち、前記第１ＳＲＳリソース上の最大送信電力は、前記第１ＳＲＳリソースでＳＲＳを送信するために使用されるアンテナアレイグループでサポートする最大送信電力である。
【００４６】
さらに、前記第１ＳＲＳリソース上の最大送信電力は、端末がサポートする最大送信電力、または端末が、前記ターゲットＳＲＳリソースセットが位置するキャリアでサポートする最大送信電力であってもよい。
【００４７】
前記方法は、前記ターゲットＳＲＳリソースセットにおける各ＳＲＳリソースを前記第１ＳＲＳリソースとしてそれぞれ使用することをさらに含む。即ち、前記少なくとも１つのＳＲＳリソースにおける各ＳＲＳリソース（即ち、ターゲットＳＲＳリソースセットにおける各ＳＲＳリソースを第１ＳＲＳリソースとしてそれぞれ使用する）のＰＨを計算し、前記少なくとも１つのＳＲＳリソースによってそれぞれ取得されたＰＨを前記ターゲットＳＲＳリソースセットのＰＨとしてＰＨ報告を実行する。ここで、前記ターゲットＳＲＳリソースセットのＰＨは、実際には、複数のＰＨ値（異なるＳＲＳリソースにそれぞれ対応する）で構成されたセットである。
【００４８】
前記ターゲットＳＲＳリソースセットが複数のｐａｎｅｌに対応する複数のＳＲＳリソースを含む場合、この方法は、異なるｐａｎｅｌ上のＳＲＳリソースに対してＰＨ報告を個別に実行することをサポートすることができる。
【００４９】
この方法は、前記少なくとも１つのＳＲＳリソースが異なるアンテナアレイグループを使用してＳＲＳを送信する場合に使用されることができる。
【００５０】
上記した説明に基づいて、以下、ステップ１０３を説明する。
【００５１】
前記計算して取得された前記ターゲットＳＲＳリソースセットのＰＨを報告することは、前記ターゲットＳＲＳリソースセットのＰＨをターゲットキャリアまたはターゲットＢＷＰ上のＳＲＳのＰＨとして報告し、前記ターゲットキャリアまたはターゲットＢＷＰ上の他のＳＲＳリソースに対応するＰＨを報告しないことを含む。
【００５２】
前記計算して取得された前記ターゲットＳＲＳリソースセットのＰＨを報告することは、ターゲットキャリアまたはターゲットＢＷＰ上で構成された各ＳＲＳリソースセットにそれぞれ対応するＰＨを報告することを含む。
【００５３】
上記の技術案を通じて、ターゲットキャリアまたはターゲット帯域幅部分上のターゲットＳＲＳリソースセットにおけるＳＲＳリソースを計算してターゲットＳＲＳリソースセットのＰＨを取得し、ＰＨをネットワーク側に報告することができ、したがって、ネットワーク側が正確なＳＲＳ電力ヘッドルーム情報を取得するようにし、それにより、後続のＳＲＳスケジューリングおよび電力制御を実行することができる。
【００５４】
同時に、本発明は、異なるｐａｎｅｌに対してＰＨＲをそれぞれ実行することをサポートすることもできる。
【００５５】
実施例２
本発明の実施例は端末機器を提供し、図２に示されたように、前記端末機器は、
ターゲットＳＲＳリソースセットに含まれる少なくとも１つのＳＲＳリソース上の予想のＳＲＳの送信電力を計算し、前記ターゲットＳＲＳリソースセットは、ターゲットキャリアまたはターゲット帯域幅部分（ＢＷＰ）上のＳＲＳリソースセットであり、前記少なくとも１つのＳＲＳリソース上の予想のＳＲＳの送信電力に従って、前記ターゲットＳＲＳリソースセットの電力ヘッドルーム（ＰＨ）を計算して取得するように構成される処理ユニット２１と、
計算して取得された前記ターゲットＳＲＳリソースセットのＰＨを報告するように構成される通信ユニット２２とを含む。
【００５６】
具体的に、前記処理ユニット２１は、ＰＨを計算する時刻に、前記端末機器がＳＲＳリソース上でＳＲＳを送信する場合、送信されるＳＲＳの伝送パラメータおよび前記ＳＲＳリソースまたは前記ターゲットＳＲＳリソースセットに対して構成された電力制御パラメータに基づいて、前記ＳＲＳリソース上の予想のＳＲＳの送信電力を計算するように構成される。
【００５７】
即ち、ＰＨを計算する時刻に、端末が１つのＳＲＳリソース上でＳＲＳを送信する場合、端末は、送信されるＳＲＳの伝送パラメータ及び前記ＳＲＳリソースまたは前記ＳＲＳリソースが位置するターゲットＳＲＳリソースセットに対して構成された電力制御パラメータに基づいて、当該ＳＲＳリソース上の予想のＳＲＳの送信電力を計算し、ここで、電力制御パラメータは、開ループ電力制御パラメータ及び閉ループ電力制御パラメータを含み得る。
【００５８】
2021519008.tif 000009
具体的に、前記処理ユニット２１は、ＰＨを計算する時刻に、前記端末機器がＳＲＳリソース上でＳＲＳを送信しない場合、前記ＳＲＳリソースまたは前記ターゲットＳＲＳリソースセットに対して構成された電力制御パラメータに基づいて、前記ＳＲＳリソース上の予想のＳＲＳの送信電力を計算するように構成される。
【００５９】
即ち、ＰＨを計算する時刻に、端末が特定のＳＲＳリソース上でＳＲＳを送信しない場合、端末は、前記ＳＲＳリソースまたは前記ＳＲＳリソースが位置するターゲットＳＲＳリソースセットに対して構成された電力制御パラメータに基づいて、当該ＳＲＳリソース上の予想のＳＲＳの送信電力を計算し、ここで、電力制御パラメータは、通常、開ループ電力制御パラメータのみを含む。
【００６０】
2021519008.tif 000010
前記少なくとも１つのＳＲＳリソースは、
前記ターゲットＳＲＳリソースセット内で同じＯＦＤＭ符号を占有するＳＲＳリソース、
前記ターゲットＳＲＳリソースセット内で異なるＯＦＤＭ符号を占有するＳＲＳリソース、
前記ターゲットＳＲＳリソースセット内で占有する帯域幅サイズが異なるＳＲＳリソース、
前記ターゲットＳＲＳリソースセット内で異なるアンテナアレイグループを使用してＳＲＳを送信するＳＲＳリソース、
前記ターゲットＳＲＳリソースセット内で同じアンテナアレイグループを使用してＳＲＳを送信するＳＲＳリソースのうちの１つである。
【００６１】
前記処理ユニット２１は、前記ターゲットＳＲＳリソースセットがアップリンク非コードブック伝送に使用される場合、前記少なくとも１つのＳＲＳリソースは、前記ターゲットＳＲＳリソースセットのうちの全てのＳＲＳリソースであるように構成される。
【００６２】
前記処理ユニット２１は、前記ターゲットＳＲＳリソースセットがアップリンクコードブック伝送またはビーム管理またはアンテナスイッチングに使用される場合、前記少なくとも１つのＳＲＳリソースは、前記ターゲットＳＲＳリソースセットのうちの任意の１つのＳＲＳリソースであるように構成される。つまり、前記ターゲットＳＲＳリソースセットがアップリンクコードブック伝送またはビーム管理またはアンテナスイッチングに使用される場合、前記少なくとも１つのＳＲＳリソースは、前記ターゲットＳＲＳリソースセットのうちの任意の１つのＳＲＳリソースである。
【００６３】
ここで、ターゲットＳＲＳリソースセットが、アップリンク非コードブック伝送に使用されるか、アップリンクコードブック伝送に使用されるか、ビーム管理に使用されるか、アンテナスイッチングに使用されるかは、上位層シグナリングを介して各ＳＲＳリソースセットにそれぞれ構成することができる。
【００６４】
前記処理ユニット２１は、ＰＨを計算する時刻に、前記端末機器がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在のＰＵＳＣＨ伝送に関連するＳＲＳリソースセットであるように構成される。
【００６５】
ＰＨを計算する時刻に、前記端末機器がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットである。
【００６６】
即ち、ＰＨを計算する時刻に、端末がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在のＰＵＳＣＨ伝送に関連するＳＲＳリソースセットである。
【００６７】
具体的に、現在のＰＵＳＣＨ伝送がコードブックに基づくＰＵＳＣＨ伝送である場合、前記ターゲットＳＲＳリソースセットはコードブック伝送のためのＳＲＳリソースセットであり、現在のＰＵＳＣＨ伝送が非コードブックに基づくＰＵＳＣＨ伝送である場合、前記ターゲットＳＲＳリソースセットは、非コードブック伝送のためのＳＲＳリソースセットであり、現在のＰＵＳＣＨ伝送がアンテナスイッチングに基づくＰＵＳＣＨ伝送である場合、前記ターゲットＳＲＳリソースセットは、アンテナスイッチングのためのＳＲＳリソースセットである。
【００６８】
ＰＨを計算する時刻に、端末がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットである。
【００６９】
ここで、最も低いセットインデックスを有するＳＲＳリソースセットは、前記ターゲットキャリアまたはターゲットＢＷＰ上ＳＲＳリソースセットＩＤが０と等しいＳＲＳリソースセットであり得る。現在のＳＲＳリソースセットにおいて最も小さいＩＤが０ではなく、３である場合、ＩＤが３であるＳＲＳリソースセットを選択することができる。
【００７０】
前述した少なくとも１つのＳＲＳリソース上の予想のＳＲＳの送信電力に従って、前記ターゲットＳＲＳリソースセットの電力ヘッドルーム（ＰＨ）を計算して取得することは、次の様々なシナリオが存在し得る。
【００７１】
シナリオ１
前記処理ユニット２１は、最大送信電力と、前記少なくとも１つのＳＲＳリソース上の予想のＳＲＳの送信電力の和との差を前記ターゲットＳＲＳリソースセットのＰＨとして使用するように構成される。
【００７２】
即ち、端末は、最大送信電力と第１電力間の差を、前記ターゲットＳＲＳリソースセットのＰＨとして使用し、ここで、第１電力は、前記少なくとも１つのＳＲＳリソース上の予想のＳＲＳの送信電力の和である。
【００７３】
前記最大送信電力は、端末がサポートする最大送信電力、または端末が、前記ターゲットＳＲＳリソースセットが位置するキャリア上でサポートする最大送信電力、または端末が前記ターゲットＳＲＳリソースセット上でＳＲＳを送信するために使用されるアンテナアレイグループでサポートする最大送信電力である。
【００７４】
2021519008.tif 000011
即ち、上記した処理は、前記少なくとも１つのＳＲＳリソースが同じＯＦＤＭ符号を占有する場合、または前記少なくとも１つのＳＲＳリソースが同じアンテナアレイグループを使用してＳＲＳを送信する場合に使用されることができる。前者の場合、この方法を採用すると、端末が複数のＳＲＳリソースを同時に伝送する時の電力ヘッドルームを正確に計算することができ、後者の場合、この方法を採用すると１つのアンテナアレイグループ上の総電力ヘッドルームを正確に計算することができる。
【００７５】
異なるターゲットＳＲＳリソースセットが異なるアンテナアレイグループ（ｐａｎｅｌ）に対応する場合、この方法は、各アンテナアレイグループのそれぞれの最大送信電力に従って、各ターゲットＳＲＳリソースセットに対してＰＨ報告をそれぞれ実行することをサポートすることができる。
【００７６】
シナリオ２
前記処理ユニット２１は、最大送信電力と、前記少なくとも１つのＳＲＳリソース上の予想のＳＲＳの送信電力のうちの最大または最小の予想の送信電力との差を、前記ターゲットＳＲＳリソースセットのＰＨとして使用するように構成される。
【００７７】
即ち、このシナリオでは、端末は、最大送信電力と第２電力間の差を、前記ターゲットＳＲＳリソースセットのＰＨとして使用し、ここで、第２電力は、前記少なくとも１つのＳＲＳリソース上の予想のＳＲＳの送信電力のうち、最も大きいまたは最も小さい予想のＳＲＳの送信電力である。
【００７８】
前記最大送信電力は、
前記端末機器がサポートする最大送信電力、
前記端末機器が、前記ターゲットＳＲＳリソースセットが位置するキャリアでサポートする最大送信電力、
前記端末機器が、前記ターゲットＳＲＳリソースセット上でＳＲＳを送信するために使用されるアンテナアレイグループでサポートする最大送信電力のうちの１つである。
【００７９】
2021519008.tif 000012
１つのターゲットＳＲＳリソースセット内の全てのＳＲＳリソース上の予想のＳＲＳの送信電力が同じである場合、任意のＳＲＳリソースを使用してＰＨを計算することができる。
【００８０】
前記少なくとも１つのＳＲＳリソースは、異なるＯＦＤＭ符号を占有し、または、占有した帯域幅サイズが異なる。即ち、上記した処理は、前記少なくとも１つのＳＲＳリソースが異なるＯＦＤＭ符号を占有する場合、または前記少なくとも１つのＳＲＳリソースが占有した帯域幅サイズが異なる場合に使用されることができる。この場合、端末は、そのうちの１つのＳＲＳリソースのＰＨのみを報告し、端末は、これに従って他のＳＲＳリソースのＰＨを取得することができる。
【００８１】
異なる前記ターゲットＳＲＳリソースセットは異なるアンテナアレイグループに対応し、
対応的に、前記計算して取得された前記ターゲットＳＲＳリソースセットのＰＨを報告することは、
各アンテナアレイグループの最大送信電力に従って、各ターゲットＳＲＳリソースセットに対してＰＨ報告をそれぞれ実行することを含む。
【００８２】
即ち、異なるターゲットＳＲＳリソースセットが異なるｐａｎｅｌに対応する場合、このシナリオで提供される技術案は、各アンテナアレイグループのそれぞれの最大送信電力に従って、各ターゲットＳＲＳリソースセットに対してＰＨ報告をそれぞれ実行することをサポートすることもできる。
【００８３】
シナリオ３
前記処理ユニット２１は、前記少なくとも１つのＳＲＳリソースのうちの第１ＳＲＳリソース上の最大送信電力と、前記第１ＳＲＳリソース上の予想のＳＲＳの送信電力との差を、前記第１ＳＲＳリソースのＰＨとして使用するように構成され、
前記第１ＳＲＳリソースのＰＨを前記ターゲットＳＲＳリソースセットのＰＨに含める。
【００８４】
このシナリオは、端末が、前記少なくとも１つのＳＲＳリソースのうちの第１ＳＲＳリソース上の最大送信電力と、当該第１ＳＲＳリソース上の予想のＳＲＳの送信電力間の差を、前記第１ＳＲＳリソースのＰＨとして使用し、前記ターゲットＳＲＳリソースセットのＰＨは前記第１ＳＲＳリソースのＰＨを含むことである。
【００８５】
前記第１ＳＲＳリソース上の最大送信電力は、前記第１ＳＲＳリソースでＳＲＳを送信するために使用されるアンテナアレイグループでサポートする最大送信電力であり得る。即ち、前記第１ＳＲＳリソース上の最大送信電力は、前記第１ＳＲＳリソースでＳＲＳを送信するために使用されるアンテナアレイグループでサポートする最大送信電力である。
【００８６】
さらに、前記第１ＳＲＳリソース上の最大送信電力は、端末がサポートする最大送信電力、または端末が、前記ターゲットＳＲＳリソースセットが位置するキャリアでサポートする最大送信電力であってもよい。
【００８７】
前記処理ユニット２１は、前記ターゲットＳＲＳリソースセットにおける各ＳＲＳリソースを前記第１ＳＲＳリソースとしてそれぞれ使用するように構成される。即ち、前記少なくとも１つのＳＲＳリソースにおける各ＳＲＳリソース（即ち、ターゲットＳＲＳリソースセットにおける各ＳＲＳリソースを第１ＳＲＳリソースとしてそれぞれ使用する）のＰＨを計算し、前記少なくとも１つのＳＲＳリソースによってそれぞれ取得されたＰＨを前記ターゲットＳＲＳリソースセットのＰＨとしてＰＨ報告を実行する。ここで、前記ターゲットＳＲＳリソースセットのＰＨは、実際には、複数のＰＨ値（異なるＳＲＳリソースにそれぞれ対応する）で構成されたセットである。
【００８８】
前記ターゲットＳＲＳリソースセットが複数のｐａｎｅｌに対応する複数のＳＲＳリソースを含む場合、この方法は、異なるｐａｎｅｌ上のＳＲＳリソースに対してＰＨ報告を個別に実行することをサポートすることができる。
【００８９】
上記した処理は、前記少なくとも１つのＳＲＳリソースが異なるアンテナアレイグループを使用してＳＲＳを送信する場合に使用されることができる。
【００９０】
上記した説明に基づいて、以下、報告処理方式について説明する。
【００９１】
前記通信ユニット２２は、前記ターゲットＳＲＳリソースセットのＰＨをターゲットキャリアまたはターゲットＢＷＰ上のＳＲＳのＰＨとして報告し、前記ターゲットキャリアまたはターゲットＢＷＰ上の他のＳＲＳリソースに対応するＰＨを報告しないように構成される。
【００９２】
前記計算して取得された前記ターゲットＳＲＳリソースセットのＰＨを報告することは、ターゲットキャリアまたはターゲットＢＷＰ上で構成された各ＳＲＳリソースセットにそれぞれ対応するＰＨを報告することを含む。
【００９３】
上記の技術案を通じて、ターゲットキャリアまたはターゲット帯域幅部分上のターゲットＳＲＳリソースセットにおけるＳＲＳリソースを計算してターゲットＳＲＳリソースセットのＰＨを取得し、ＰＨをネットワーク側に報告することができ、したがって、ネットワーク側が正確なＳＲＳ電力ヘッドルーム情報を取得するようにし、それにより、後続のＳＲＳスケジューリングおよび電力制御を実行することができる。
【００９４】
同時に、本発明は、異なるｐａｎｅｌに対してＰＨＲをそれぞれ実行することをサポートすることもできる。
【００９５】
本発明の実施例は、図３に示されたように、少なくとも１つのプロセッサ３１と、メモリ３２と、少なくとも１つのネットワークインターフェース３３とを備え、端末機器のハードウェアの構成アーキテクチャをさらに提供する。各コンポーネントは、バスシステム３４を介して結合される。バスシステム３４は、これらのコンポーネント間の接続通信を具現するために使用されることを理解されたい。データバスに加えて、バスシステム３４は、電力バス、制御バスおよびステータス信号バスを含む。しかしながら、説明を明確にするために、図３では様々なバスをすべてバスシステム３４として表記されている。
【００９６】
本発明の実施例におけるメモリ３２は、揮発性メモリまたは不揮発性メモリであってもよく、または揮発性および不揮発性メモリの両方を含んでもよいことを理解されたい。
【００９７】
いくつかの実施形態で、メモリ３２は、操作システム３２１およびアプリケーションプログラム３２２の要素、実行可能なモジュールまたはデータ構造、またはそれらのサブセット、またはそれらの拡張セットを記憶する。
【００９８】
ここで、前記プロセッサ３１は、前述の実施例１の方法のステップを処理することができるように構成され、ここでは再び説明しない。
【００９９】
本発明の実施例によって提供されるコンピュータ記憶媒体は、実行可能な命令が記憶され、前記コンピュータ実行可能な命令が実行されるときに、前述の実施例１の方法のステップを実施する。
【０１００】
本発明の実施例で上記した装置がソフトウェア機能モジュールの形で実現され、スタンドアロン製品として販売または使用される場合、コンピュータ読み取り可能な記憶媒体に記憶されてもよい。このような理解に基づいて、本発明の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。このようにして、本発明の実施例は、いずれかのハードウェアおよびソフトウェアの特定の組み合わせに限定されない。
【０１０１】
対応的に、本発明の実施例は、コンピュータプログラムが記憶されるコンピュータ記憶媒体をさらに提供し、前記コンピュータプログラムは、本発明の実施例のＳＲＳの電力ヘッドルーム報告方法を実行するように構成される。
【０１０２】
本発明の好ましい実施例を例示の目的で開示したが、当業者は、様々な修正、追加、および置換が可能であり、本発明の範囲は上記した実施例に限定されるべきではないことを理解するであろう。
【図１】
2021519008.tif 000013
【図２】
2021519008.tif 000014
【図３】
2021519008.tif 000015
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
サウンディング参照信号（ＳＲＳ）の電力ヘッドルーム（ＰＨ）報告方法であって、
端末機器が、ターゲットＳＲＳリソースセットに含まれる少なくとも１つのＳＲＳリソース上の予想のＳＲＳの送信電力を計算することであって、前記ターゲットＳＲＳリソースセットは、ターゲットキャリアまたはターゲット帯域幅部分（ＢＷＰ）上のＳＲＳリソースセットであることと、
前記端末機器が、前記少なくとも１つのＳＲＳリソース上の予想のＳＲＳの送信電力に従って、前記ターゲットＳＲＳリソースセットのＰＨを計算して取得することと、
前記端末機器が、計算して取得された前記ターゲットＳＲＳリソースセットのＰＨを報告することとを含む、前記ＳＲＳの電力ヘッドルーム報告方法。
【請求項２】
前記端末機器が、ターゲットＳＲＳリソースセットに含まれる少なくとも１つのＳＲＳリソース上の予想のＳＲＳの送信電力を計算することは、
ＰＨを計算する時刻に、前記端末機器がＳＲＳリソース上でＳＲＳを送信する場合、前記端末機器が、送信されるＳＲＳの伝送パラメータおよび前記ＳＲＳリソースまたは前記ターゲットＳＲＳリソースセットに対して構成された電力制御パラメータに基づいて、前記ＳＲＳリソース上の予想のＳＲＳの送信電力を計算すること、
または、
ＰＨを計算する時刻に、前記端末機器がＳＲＳリソース上でＳＲＳを送信しない場合、前記端末機器が、前記ＳＲＳリソースまたは前記ターゲットＳＲＳリソースセットに対して構成された電力制御パラメータに基づいて、前記ＳＲＳリソース上の予想のＳＲＳの送信電力を計算することを含む、
請求項１に記載のＳＲＳの電力ヘッドルーム報告方法。
【請求項３】
前記少なくとも１つのＳＲＳリソースは、
前記ターゲットＳＲＳリソースセット内で同じ直交周波数分割多重（ＯＦＤＭ）符号を占有するＳＲＳリソース、
前記ターゲットＳＲＳリソースセット内で異なるＯＦＤＭ符号を占有するＳＲＳリソース、
前記ターゲットＳＲＳリソースセット内で占有する帯域幅サイズが異なるＳＲＳリソース、
前記ターゲットＳＲＳリソースセット内で異なるアンテナアレイグループを使用してＳＲＳを送信するＳＲＳリソース、
前記ターゲットＳＲＳリソースセット内で同じアンテナアレイグループを使用してＳＲＳを送信するＳＲＳリソースのうちの１つである、
請求項１に記載のＳＲＳの電力ヘッドルーム報告方法。
【請求項４】
前記方法は、
ＰＨを計算する時刻に、前記端末機器がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在の物理アップリンク共有チャネル（ＰＵＳＣＨ）伝送に関連するＳＲＳリソースセットであること、
または、
ＰＨを計算する時刻に、前記端末機器がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットであることをさらに含む、
請求項１に記載のＳＲＳの電力ヘッドルーム報告方法。
【請求項５】
前記端末機器が、前記少なくとも１つのＳＲＳリソース上の予想のＳＲＳの送信電力に従って、前記ターゲットＳＲＳリソースセットの電力ヘッドルーム（ＰＨ）を計算して取得することは、
前記端末機器が、最大送信電力と、前記少なくとも１つのＳＲＳリソース上の予想のＳＲＳの送信電力の和との差を前記ターゲットＳＲＳリソースセットのＰＨとして使用することを含む、
請求項１に記載のＳＲＳの電力ヘッドルーム報告方法。
【請求項６】
前記最大送信電力は、
前記端末機器がサポートする最大送信電力、
前記端末機器が、前記ターゲットＳＲＳリソースセットが位置するキャリアでサポートする最大送信電力、
前記端末機器が、前記ターゲットＳＲＳリソースセット上でＳＲＳを送信するために使用されるアンテナアレイグループでサポートする最大送信電力のうちの１つである、
請求項５に記載のＳＲＳの電力ヘッドルーム報告方法。
【請求項７】
端末機器であって、
ターゲットＳＲＳリソースセットに含まれる少なくとも１つのＳＲＳリソース上の予想のＳＲＳの送信電力を計算し、前記ターゲットＳＲＳリソースセットは、ターゲットキャリアまたはターゲット帯域幅部分（ＢＷＰ）上のＳＲＳリソースセットであり、前記少なくとも１つのＳＲＳリソース上の予想のＳＲＳの送信電力に従って、前記ターゲットＳＲＳリソースセットの電力ヘッドルーム（ＰＨ）を計算して取得するように構成される処理ユニットと、
計算して取得された前記ターゲットＳＲＳリソースセットのＰＨを報告するように構成される通信ユニットとを備える、前記端末機器。
【請求項８】
前記処理ユニットは、ＰＨを計算する時刻に、前記端末機器がＳＲＳリソース上でＳＲＳを送信する場合、送信されるＳＲＳの伝送パラメータおよび前記ＳＲＳリソースまたは前記ターゲットＳＲＳリソースセットに対して構成された電力制御パラメータに基づいて、前記ＳＲＳリソース上の予想のＳＲＳの送信電力を計算するように構成され、
または、
前記処理ユニットは、ＰＨを計算する時刻に、前記端末機器がＳＲＳリソース上でＳＲＳを送信しない場合、前記ＳＲＳリソースまたは前記ターゲットＳＲＳリソースセットに対して構成された電力制御パラメータに基づいて前記ＳＲＳリソース上の予想のＳＲＳの送信電力を計算するように構成される、
請求項７に記載の端末機器。
【請求項９】
前記少なくとも１つのＳＲＳリソースは、
前記ターゲットＳＲＳリソースセット内で同じ直交周波数分割多重（ＯＦＤＭ）符号を占有するＳＲＳリソース、
前記ターゲットＳＲＳリソースセット内で異なるＯＦＤＭ符号を占有するＳＲＳリソース、
前記ターゲットＳＲＳリソースセット内で占有する帯域幅サイズが異なるＳＲＳリソース、
前記ターゲットＳＲＳリソースセット内で異なるアンテナアレイグループを使用してＳＲＳを送信するＳＲＳリソース、
前記ターゲットＳＲＳリソースセット内で同じアンテナアレイグループを使用してＳＲＳを送信するＳＲＳリソースのうちの１つである、
請求項７に記載の端末機器。
【請求項１０】
前記処理ユニットは、ＰＨを計算する時刻に、前記端末機器がターゲットキャリアまたはターゲットＢＷＰ上でＳＲＳを送信し、またはターゲットキャリアまたはターゲットＢＷＰが現在活性化されるキャリアまたはＢＷＰである場合、前記ターゲットＳＲＳリソースセットは、前記ターゲットキャリアまたはターゲットＢＷＰ上の現在ＳＲＳ伝送に使用されるＳＲＳリソースセットであり、または、前記ターゲットＳＲＳリソースセットは、現在のＰＵＳＣＨ伝送に関連するＳＲＳリソースセットであるように構成される、
請求項７に記載の端末機器。
【請求項１１】
前記処理ユニットは、ＰＨを計算する時刻に、前記端末機器がターゲットキャリアまたはターゲットＢＷＰ上でＳＲＳを送信せず、またはターゲットキャリアまたはターゲットＢＷＰが活性化されたキャリアまたはＢＷＰではない場合、前記ターゲットＳＲＳリソースセットは、ターゲットキャリアまたはターゲットＢＷＰ上で最も低いセットインデックスを有するＳＲＳリソースセットであり、または前記ターゲットＳＲＳリソースセットは、ターゲットキャリアで最後に活性化されたＢＷＰ上の最も低いセットインデックスを有するＳＲＳリソースセットであるように構成される、
請求項７に記載の端末機器。
【請求項１２】
前記処理ユニットは、最大送信電力と、前記少なくとも１つのＳＲＳリソース上の予想のＳＲＳの送信電力の和との差を前記ターゲットＳＲＳリソースセットのＰＨとして使用するように構成される、
請求項７に記載の端末機器。
【請求項１３】
前記最大送信電力は、
前記端末機器がサポートする最大送信電力、
前記端末機器が、前記ターゲットＳＲＳリソースセットが位置するキャリアでサポートする最大送信電力、
前記端末機器が、前記ターゲットＳＲＳリソースセット上でＳＲＳを送信するために使用されるアンテナアレイグループでサポートする最大送信電力のうちの１つである、
請求項１２に記載の端末機器。
【請求項１４】
コンピュータ可読記憶媒体であって、
コンピュータによって実行されるときに、コンピュータに請求項１ないし６のいずれか１項に記載の方法のすべてのステップを実行させる命令を含む、前記コンピュータ可読記憶媒体。
【請求項１５】
コンピュータプログラムであって、
コンピュータによって実行されると、コンピュータに請求項１ないし６のいずれか一項に記載の方法のすべてのステップを実行させる命令を含む、前記コンピュータプログラム。
【国際調査報告】
2021519008.tif 000016
2021519008.tif 000017
2021519008.tif 000018
2021519008.tif 000019